(57)【特許請求の範囲】
【請求項１】
下面に上電極が形成された上基板と、前記上電極に対向する下電極が上面に形成された下基板と、前記上基板と前記下基板との間の外周をスペーサで固着し形成された閉空隙とからなり、前記閉空隙近傍の前記スペーサに外部からの振動を前記閉空隙に伝達する伝達手段を形成したことにより、入力機能とスピーカ機能とを一体化したパネルスイッチ。
【請求項２】
伝達手段は、上基板と下基板との間に形成された閉空隙と外部を連結する中空管である請求項１記載のパネルスイッチ。
【請求項３】
外部からの振動を閉空隙に伝達する伝達手段が複数個形成された請求項１記載のパネルスイッチ。
【請求項４】
閉空隙近傍の下基板に振動手段を形成した請求項１記載のパネルスイッチ。
【請求項５】
伝達手段と閉空隙の間に薄膜を設けた請求項１記載のパネルスイッチ。
【請求項６】
請求項１記載のパネルスイッチと、このパネルスイッチの伝達手段に接続された振動手段と、この振動手段に接続された制御手段からなり、前記制御手段は、少なくとも前記パネルスイッチからの入力信号を電気的に処理する入力信号処理手段と、前記振動手段を音響的に駆動する音響駆動手段とを備えた電子機器。
【発明の詳細な説明】
【０００１】
【発明の属する技術分野】
本発明は、ＰＤＡ（Ｐｅｒｓｏｎａｌ  Ｄｉｇｉｔａｌ  Ａｓｓｉｓｔａｎｔｓ）等の各種電子機器に使用されるパネルスイッチおよびこれを用いた電子機器に関するものである。
【０００２】
【従来の技術】
近年、ＰＤＡや携帯電話機などの電子機器には、入力装置として、指やペンで表面を押下すればメニュー選択が行える操作性の簡便なパネルスイッチが多く搭載され、音声通話や音楽再生などのためのスピーカが内蔵されている。
【０００３】
このような従来の電子機器の一例として携帯電話機について、図９を用いて説明する。
【０００４】
図９（ａ）は従来の携帯電話機の平面図、（ｂ）は同断面図であり、同図において、２０はパネルスイッチ、２１は音声受信用スピーカ、２２は音楽再生用スピーカ、２３は筐体、２４は表示素子である。
【０００５】
パネルスイッチ２０の、２０Ａは例えばポリエチレンテレフタレート（ＰＥＴ）フィルムなどの上基板で、下面に上電極２０Ｂをコーティングし形成したものである。２０Ｃは例えばガラスなどの下基板で、上面に下電極２０Ｄが形成されたものである。２０Ｅは上基板２０Ａと下基板２０Ｃを粘着するスペーサ、２０Ｆは上基板２０Ａと下基板２０Ｃ及びスペーサ２０Ｅによって形成された閉空隙である。
【０００６】
上記構成の携帯電話機について、その動作を簡単に説明する。
【０００７】
例えば、音楽再生する場合、指などで表示素子２４に表示された操作メニューの音楽再生キーをパネルスイッチ２０の表面から押下すると、上基板２０Ａがたわんで上電極２０Ｂと下電極２０Ｄが導通し、入力信号処理手段（図示せず）により入力信号を読み取り、音楽再生が選択されたことを認識し、音響駆動手段（図示せず）により音楽再生用スピーカ２２を駆動し音楽を再生できるものである。
【０００８】
また、例えば、アンテナ（図示せず）から受信した音声信号を再生する場合、受信信号処理手段（図示せず）により音声信号を読み取り、音響駆動手段（図示せず）により音声受信用スピーカ２１を駆動し音声を再生できるものである。
【０００９】
【発明が解決しようとする課題】
上記従来の携帯電話機においては、携帯情報端末としても広く用いられることで、操作の簡便性からパネルスイッチ２０の大型化が強く要求されている。
【００１０】
そこで本発明は、入力機能とスピーカ機能とを複合し、操作領域の大型化を図ったパネルスイッチおよびこれを用いた電子機器を提供することを目的とする。
【００１１】
【課題を解決するための手段】
上記目的を達成するために本発明は、以下の構成を有するものである。
【００１２】
本発明の請求項１に記載の発明は、下面に上電極が形成された上基板と、前記上電極に対向する下電極が上面に形成された下基板と、前記上基板と前記下基板との間の外周をスペーサで固着し形成された閉空隙とからなり、前記閉空隙近傍の前記スペーサに外部からの振動を前記閉空隙に伝達する伝達手段を形成したことにより、入力機能とスピーカ機能とを一体化したパネルスイッチとしたものであり、タッチパネルやメンブレンスイッチなどのパネルスイッチから音や振動を再生することが可能で、スピーカが一体（従来の別付けスピーカが不要）で操作領域の大型化ができることで操作メニューの増加に対応でき使い勝手が向上するという作用を有する。
さらに、上基板と下基板の外周をスペーサで固着し、このスペーサに伝達手段を形成したことにより、よりパネルスイッチの操作領域を広くできるとともに、表示素子の表示領域も広くできるという作用を有する。
【００１３】
請求項２に記載の発明は、請求項１記載の発明において、伝達手段は、上基板と下基板との間に形成された閉空隙と外部を連結する中空管としたものであり、外部からの振動を中空管を介して伝達できるので、例えば表示素子の背面から外部からの振動を伝達可能となり、パネルスイッチの操作領域を広くできるとともに、表示素子の表示領域を広くできるという作用を有する。
【００１４】
請求項３に記載の発明は、請求項１記載の発明において、外部からの振動を閉空隙に伝達する伝達手段が複数個形成されたものであり、外部からの振動を伝達手段ごとに設けることでステレオ再生などが可能にできるという作用を有する。
【００１６】
請求項４に記載の発明は、請求項１記載の発明において、下基板の閉空隙近傍に振動手段を形成したものであり、例えばパネルスイッチの下基板やスペーサに振動手段を埋め込むことで、パネルスイッチを搭載する電子機器の薄型化を図ることができるという作用を有する。
【００１７】
請求項５に記載の発明は、請求項１記載の発明において、伝達手段と閉空隙の間に薄膜を設けたものであり、閉空隙に埃、ごみなどの異物進入を防止できるという作用を有する。
【００１８】
請求項６に記載の発明は、請求項１記載のパネルスイッチと、このパネルスイッチの伝達手段に接続された振動手段と、前記パネルスイッチおよび前記振動手段に接続された制御手段からなり、前記制御手段は、少なくとも前記パネルスイッチからの入力信号を電気的に処理する入力信号処理手段と、前記振動手段を音響的に駆動する音響駆動手段とを備えたもので、例えば表示素子の前面に本発明のパネルスイッチを配置した電子機器の場合、スピーカが一体となった分、パネルスイッチの操作領域を広くでき、また音の放射面が表示素子面と同じであるため、画像位置と音響位置が一致してよりリアルな音響再生が可能になるという作用を有する。
【００１９】
【発明の実施の形態】
以下、本発明の実施の形態について、図１〜図８を用いて説明する。
【００２０】
（実施の形態１）
実施の形態１を用いて、本発明の特に請求項１、６記載の発明について説明する。
【００２１】
図１は本発明の第１の実施の形態によるパネルスイッチを搭載した電子機器としての携帯電話機で、図１（ａ）は平面図、（ｂ）は同Ａ−Ｂ断面図であり、同図において、１は本発明のパネルスイッチ、２はパネルスイッチ１に設けられ外部からの振動を伝達する伝達手段としての音響孔、３は筐体、４は表示素子、５はパネルスイッチ１に取り付けられた外部からの振動としての電気機械音響変換器、６は少なくともパネルスイッチ１からの入力信号を電気的に処理する入力信号処理手段と、電気機械音響変換器５を音響的に駆動する音響駆動手段とを備えた制御手段、７は表示素子４の画面に表示された操作メニューである。
【００２２】
また、同図において、パネルスイッチ１の、１Ａは上電極１Ｂが下面に形成され一般的に透明ＰＥＴ（ポリエチレンテレフタレート）や透明ＰＣ（ポリカーボネート）などのフィルムの上基板である。１Ｃは下電極１Ｄが上面に形成され一般的に透明ガラスや透明プラスティック、透明ＰＥＴや透明ＰＣのフィルムなどの下基板である。
【００２３】
パネルスイッチ１として、表示素子４の前面に配置される透明パネルスイッチの場合、上電極１Ｂ、下電極１Ｄは、透明電極としてＩＴＯ（酸化インジウムすず）やＳｎＯ2（酸化すず）などが一般的に用いられる。
【００２４】
表示素子４の前面に配置せず、透明性が要求されない場合は、電極としてカーボンなどの導電材料も広く用いられている。
【００２５】
１Ｅはマイクロドットスペーサであり、上基板１Ａを押下したポイント以外で上基板１Ａが変形して上電極１Ｂと下電極１Ｄが導通しないように上基板１Ａを支えるものであり、熱硬化形のエポキシ系樹脂などが用いられている。
【００２６】
１Ｆは上電極１Ｂの下に印刷されパネルスイッチ１のＹ軸方向の位置検出を行うための配線電極、１Ｇは下電極１Ｄの上に印刷されパネルスイッチ１のＸ軸方向の位置検出を行うための配線電極である。１Ｈは上基板１Ａと下基板１Ｃを接着する粘着材でパネルスイッチ１の外周に沿って所定の幅で塗布されており一般的にアクリル系樹脂などが用いられる。
【００２７】
１Ｉは配線電極１Ｆ，１Ｇおよび上、下電極１Ｂ，１Ｄとが接触して導通することを防ぐための絶縁材であり、粘着材１Ｈと同様、パネルスイッチ１の外周に沿って所定の幅で塗布されており一般的にエポキシ系樹脂などが用いられている。
【００２８】
この粘着材１Ｈと絶縁材１Ｉは、上基板１Ａ、下基板１Ｃ間に適切な閉空隙１Ｊを確保するためのスペーサとして機能するものであり、パネルスイッチ１の外周に沿って均一に塗布されているので、閉空隙１Ｊは密閉されている。
【００２９】
外部からの振動を伝達する伝達手段としての音響孔２は、下電極１Ｄ、下基板１Ｃを貫通し、電気機械音響変換器５と接合している。
【００３０】
また、図２に電気機械音響変換器５の一例として磁気回路の磁気閉空隙に設けたボイスコイルの駆動力を利用した動電形スピーカの断面図を示す。
【００３１】
同図において、１０は壷型のヨーク、１１はヨーク１０の中央部に設けたマグネット、１２はマグネット１１の上面に配置したプレート、１３はヨーク１０の内周面とプレート１２の外周面で構成される磁気閉空隙、１４は磁気閉空隙１３に挿入されたボイスコイルである。１５は中央部にボイスコイル１４を接合し、外周部をフレーム１６に固着した振動板であり、振動板１５を音響孔２に向けて取り付けられている。
【００３２】
以上のように構成された携帯電話機の動作について説明する。
【００３３】
一例として、図１で音楽再生の場合、パネルスイッチ１の表面から操作メニュー７が押下されると、制御手段６は音楽再生の要求があったと認識し、電気機械音響変換器５の磁気閉空隙１３に挿入されたボイスコイル１４に電気信号を印加し、ボイスコイル１４に駆動力が発生して、これに結合した振動板１５を振動させて音を発生させ、振動板１５から放射された音は、音響孔２を通って閉空隙１Ｊに伝わり、上基板１Ａは閉空隙１Ｊの音圧で音響的に駆動されて振動し音楽再生を行うことができる。
【００３４】
図３は電気機械音響変換器５として口径φ１８ｍｍの動電形スピーカを用い、上基板１ＡのサイズがＬ９０ｍｍ×Ｗ６０ｍｍ、厚さ０．１ｍｍの音圧周波数特性測定結果を示す。なお、測定条件はパネルスイッチ１前面から０．１ｍ離れた位置にマイクを設置し、電気入力を０．１Ｗ印加したものである。
【００３５】
同図で、上基板１Ａを取り外して直径１８ｍｍの動電形スピーカを単独で測定した場合の特性をIIに、上基板１Ａを取り付けた状態の特性をＩに示し、上基板１Ａを取り付けた状態での特性Ｉでは、４ＫＨｚから５ＫＨｚ以上の高音域で音圧レベルが低下しているが、これは閉空隙１Ｊの音響容積および上基板１Ａの重量により決定されるものであり、すなわち、上基板１Ａと下基板１Ｃとの間の閉空隙１Ｊを挟めれば音響容積が小さくなって高音域の音圧レベルが低下する周波数を上昇させることが可能であり、また、上基板１Ａの重量を軽くすれば高音域の音圧帯域は拡大されるものであり、上基板１Ａの材厚や比重の小さな材質の選択で高音域特性を制御することが可能である。
【００３６】
本実施形態で、電気機械音響変換器５として用いた直径１８ｍｍの動電形スピーカは、振動板１５は２０μｍのＰＥＮ（ポリエチレンナフタレート）材料であり、その重量は約６ｍｇであり、これに接合されるボイスコイル１４は直径８ｍｍで線直径０．０５５ｍｍの銅線を用いその重量は２５ｍｇである。
【００３７】
一方、サイズがＬ９０ｍｍ×Ｗ６０ｍｍ、厚さ０．１ｍｍの上基板１Ａの重量は約７００ｍｇであり、上基板１Ａと、振動板１５とボイスコイル１４の合計重量比は、７００ｍｇ／（６ｍｇ＋２５ｍｇ）＝２２．６倍となる。
【００３８】
本実施形態の上基板１Ａの振動面積と振動板１５の有効振動面積（振動板１５を形成するエッジ部のほぼ中央までを有効半径とするもので、本例では振動板１５の外形は直径１８ｍｍであるが有効半径は５．６ｍｍである）との面積比を見ると、５４００ｍｍ2／９８．５ｍｍ2＝５４．５倍となり、電気機械音響変換器５の振動板１５から見た振動をさせる対象、すなわち上基板１Ａの等価重量は音響変換器の効果により前記面積比の二乗分の１、すなわち７００ｍｇ／５４．５2＝１．４ｍｇとなって、閉空隙１Ｊを介して上基板１Ａを駆動する本実施形態の方式は、音圧レベルの低下を生じることなく、パネルスイッチ１の上基板１Ａを音響再生の振動板として活用することが可能となる。
【００３９】
このように本実施形態によれば、上基板１Ａと、下基板１Ｃと、上基板１Ａと下基板１Ｃとの間に形成された閉空隙１Ｊに、外部からの振動を伝達する伝達手段（音響孔２）を設けてパネルスイッチを構成したものであり、タッチパネルやメンブレンスイッチなどの操作入力の前面部から音や振動を再生することができるので、スピーカが一体でパネルスイッチの大型化ができることで操作メニューが増加でき使い勝手の良い電子機器を得ることができる。
【００４０】
また、本実施形態のパネルスイッチを用いた電子機器の場合、パネルスイッチにスピーカが一体となった分、パネルスイッチの操作領域を広くでき、また音の放射面が表示素子と同じ面であるため、画像位置と音響位置が一致してよりリアルな音響再生が可能な電子機器を得ることができる。
【００４１】
なお、本実施形態ではパネルスイッチを搭載した電子機器として携帯電話機で説明したが、画像や音の信号処理回路を搭載した電子機器に広く用いることが可能であり、例えばＰＤＡなどの携帯情報端末や、カーナビゲーションシステム、ゲーム機、パソコン、テレビ、その他、パネルスイッチを有する家電製品や事務機器などに適用可能である。
【００４２】
なお、電気機械音響変換器５から放射された音が漏れないようにするため、閉空隙１Ｊは高い気密性を保つ構成とすることが望ましい。
【００４３】
また、本実施形態では、電気機械音響変換器５として動電形方式を用いて説明したが、振動板から音を放射する機能を有するものであれば良く、例えば、鉄片を電磁石で吸引し振動板とした電磁形、圧電材料を振動板とした圧電形、静電気を利用した静電形などの方式でも同様の作用が得られる。
【００４４】
さらに、本実施形態のパネルスイッチは、表示素子の前面に配置する必要がない場合、上下基板や上下電極は可視透過でなくても良く、例えば携帯電話機のキースイッチにも用いられ、かつ音響再生を可能とする。
【００４５】
また、パネルスイッチの構成として上、下基板１Ａ，１Ｃは単層で説明したが、パネルスイッチの操作耐久性を向上した複数層の上下基板を有する構成でも良い。
【００４６】
一例として図４の断面図に示すように、上基板１ＡはＰＥＴやＰＣなどの薄膜フィルム１Ｋを貼り合わせたもので、上電極１Ｂは薄膜フィルム１Ｋに形成されており、下基板１Ｃは、下電極１Ｄが上面に形成され、かつ音響孔２が設けられたＰＥＴやＰＣなどの薄膜フィルム１Ｍを、ガラスやプラスティックなどの薄板やＰＥＴやＰＣなどのフィルムなどに貼り合わせた構成でも同様の作用が得られる。
【００４７】
なお、本実施形態では、上基板１Ａと下基板１Ｃ間の閉空隙１Ｊは空気層として説明したが、パネルスイッチを透明タッチパネルとして考えた場合、閉空隙１Ｊにシリコンオイルやフッ素オイルを封入し、透過率の向上や光学特性の向上を図るものもあるが、この構成でも音響再生は可能であり本発明の目的を実現することが可能である。
【００４８】
（実施の形態２）
実施の形態２を用いて、本発明の特に請求項１〜３記載の発明について説明する。
【００４９】
なお、実施の形態１の構成と同一構成の部分には同一符号を付して、詳細な説明を簡略化する。
【００５０】
図５（ａ）は本発明の第２の実施の形態によるパネルスイッチを搭載した電子機器の平面図であり、（ｂ）は同Ｃ−Ｄ断面図であり、図６は同要部斜視図である。
【００５１】
同図において、５Ａ，５Ｂはパネルスイッチ１の下に複数個取り付けられた電気機械音響変換器、８Ａはパネルスイッチ１の下電極１Ｄ、下基板１Ｃを貫通し、電気機械音響変換器５Ａと中空管である音響管９Ａを介して連結される音響孔である。同様に８Ｂはパネルスイッチ１の下電極１Ｄ、下基板１Ｃを貫通し、電気機械音響変換器５Ｂと中空管である音響管９Ｂを介して連結される音響孔で、音響孔８Ａ，８Ｂは、上下基板１Ａ，１Ｃの外周に沿って所定の幅で塗布され上下基板１Ａ，１Ｃ間に適切な閉空隙１Ｊを確保するためのスペーサとしても機能する粘着材１Ｈと絶縁材１Ｉも貫通し、閉空隙１Ｊと連結する構成となっている。
【００５２】
この粘着材１Ｈと絶縁材１Ｉは、閉空隙１Ｊを確保するためのスペーサとしても機能するものであるが、本来は、実施の形態１で説明したように、粘着材１Ｈは、Ｙ軸方向の位置検出を行うための配線電極１Ｆと下電極１Ｄと接触して導通することを防ぐためのものであり、また絶縁材１１は、Ｘ軸方向の位置検出を行うための配線電極１Ｇが、上電極１Ｂと接触して導通することを防ぐためのものであり、従って、パネルスイッチ１の操作領域としては使用できない部分である。
【００５３】
音響管９Ａ、および音響孔８Ａは閉空隙１Ｊと電気機械音響変換器５Ａとを連結するものであり、同様に音響管９Ｂ、および音響孔８Ｂはパネルスイッチ１の閉空隙１Ｊと電気機械音響変換器５Ｂとを連結するもので、音響孔８Ａ，８Ｂは、パネルスイッチ１の角に設けられている。
【００５４】
以上の構成において、その動作を説明する。
【００５５】
電気機械音響変換器５Ａに電気信号が印加されると、電気機械音響変換器５Ａから放射された音は音響管９Ａ、および音響孔８Ａを通って閉空隙１Ｊに伝わり、上基板１Ａは閉空隙１Ｊの音圧で音響的に駆動されて振動し、この振動で音響再生を行うことができる。電気機械音響変換器５Ｂに電気信号が印加された場合も同様に、電気機械音響変換器５Ｂから放射された音は、音響管９Ｂ、および音響孔８Ｂを通って閉空隙１Ｊに伝わり、上基板１Ａの音響的な振動により音楽再生を行うことが可能となる。
【００５６】
実施の形態１と異なる点は、電気機械音響変換器５Ａ，５Ｂが複数個取り付けられる構造となっており、また電気機械音響変換器５Ａ，５Ｂとパネルスイッチ１の上下基板間の閉空隙１Ｊが音響管９Ａ，９Ｂで連結されている構造であり、さらに電気機械音響変換器５Ａ，５Ｂから放射された音をパネルスイッチ１の上、下基板１Ａ，１Ｃ間の閉空隙１Ｊに伝達する音響孔８Ａ，８Ｂがパネルスイッチ１の操作領域としては使用できない部分である粘着材１Ｈと絶縁材１Ｉの角に設けられていることである。
【００５７】
このように本実施形態によれば、伝達手段を上基板１Ａと下基板１Ｃとの間に形成された閉空隙１Ｊと外部を連結する中空管（音響管９Ａ，９Ｂ）とすることによって、外部からの振動を中空管を介して伝達できるため、例えば外部からの振動を表示素子４の背面から伝達可能となり、パネルスイッチの操作領域を広くできるとともに、表示素子の表示領域を広くできるものである。
【００５８】
また、外部からの振動を閉空隙１Ｊに伝達する伝達手段を複数個形成することによって、外部からの振動を伝達手段ごとに設けて音や振動の大きさを大きくでき、またステレオ再生などが可能になる。
【００５９】
さらに、音響孔８Ａ，８Ｂをパネルスイッチ１の操作領域としては使用できない部分である粘着材１Ｈと絶縁材１Ｉに設けることによって、より大きな操作領域を有するパネルスイッチを提供できる。
【００６０】
（実施の形態３）
実施の形態３を用いて、本発明の特に請求項４記載の発明について説明する。
【００６１】
なお、実施の形態１，２の構成と同一構成の部分には同一符号を付して、詳細な説明を簡略化する。
【００６２】
図７（ａ）は本発明の第３の実施の形態によるパネルスイッチを搭載した電子機器の平面図であり、（ｂ）は同Ｅ−Ｆ断面図であり、同図において、５Ｃ，５Ｄはパネルスイッチ１の下電極１Ｄが形成された下基板１Ｃ内に複数個組み込まれた電気機械音響変換器、８Ａ，８Ｂはスペーサ部分である粘着材１Ｈと絶縁材１Ｉに設けられた音響孔である。
【００６３】
以上の構成において、その動作を説明する。
【００６４】
電気機械音響変換器５Ｃに電気信号が印加されると、電気機械音響変換器５Ｃから放射された音は音響孔８Ａを通って閉空隙１Ｊに伝わり、この結果、パネルスイッチ１の上基板１Ａは閉空隙１Ｊの音圧で音響的に駆動されて振動し、この振動で音響再生を行うことができる。
【００６５】
電気機械音響変換器５Ｄに電気信号が印加された場合も同様に、電気機械音響変換器５Ｄから放射された音は、音響孔８Ｂを通って閉空隙１Ｊに伝わり、上基板１Ａの音響的な振動により音楽再生を行うことが可能となる。
【００６６】
実施の形態２と異なる点は、電気機械音響変換器５Ｃ，５Ｄが下基板１Ｃ内に一体に組み込まれた構造となっているため、背面をフラットにした突起の無いパネルスイッチ１を実現することができ、他の部品、例えば表示素子４との組み合わせにおいて、表示素子４の大きさや配置に制約を与えることがなく、表示素子４の大型化を可能にし、またこれらパネルスイッチ１や表示素子４、電気機械音響変換器５Ｃ，５Ｄを有する電子機器の構造配置にさらに自由度を与え、電子機器の薄型化を容易にすることができる。
【００６７】
このように本実施形態によれば、閉空隙１Ｊ近傍に振動手段（電気機械音響変換器５Ｃ，５Ｄ）を形成し、例えばパネルスイッチ１の下基板１Ｃ内に振動手段を埋め込むことで、パネルスイッチ１やそれを搭載する電子機器の薄型化、軽量化を図ることができる。
【００６８】
（実施の形態４）
実施の形態４を用いて、本発明の特に請求項５記載の発明について説明する。
【００６９】
なお、実施の形態１〜３の構成と同一構成の部分には同一符号を付して、詳細な説明を簡略化する。
【００７０】
図８は本発明の第４の実施の形態による電子機器の要部断面図であり、同図において、１７はごみなどの異物を閉空隙１Ｊ内に入り込まないようにするための例えばメッシュ状の不織布など通気性のある薄膜であり、下基板１Ｃの音響孔２と電気機械音響変換器５との間に設けることで、振動板１５から放射された音は、音響孔２を通って閉空隙１Ｊに伝わり、上基板１Ａは閉空隙１Ｊの音圧で音響的に駆動されて振動し、この振動で音響再生を行うことができ、かつ埃などの異物が閉空隙１Ｊ内に侵入することを防止できる。
【００７１】
このように本実施形態によれば、閉空隙１Ｊ内に異物が入り込まないため上下電極１Ｂ，１Ｄ間の導通の際異物などによる誤動作を無くし、また特に表示素子などの前面に配置して用いる透明パネルスイッチなどの場合は、外観上の品位を損ねることなく音響再生を実現することが可能となる。
【００７２】
なお、本実施形態では、薄膜１７は通気性のある膜としたが、電気機械音響変換器５の振動板１５から放射された音の振動を伝達するために振動する特性を有すれば良く、通気性を有するものに限る必要はない。
【００７３】
【発明の効果】
以上のように本発明によれば、操作メニューの増加に対応したパネルスイッチおよびこれを用いた電子機器を得ることができるという有利な効果が得られる。
【図面の簡単な説明】
【図１】（ａ）は本発明の第１の実施の形態によるパネルスイッチを搭載した電子機器の平面図
（ｂ）は（ａ）のＡ−Ｂ断面図
【図２】同電気機械音響変換器の断面図
【図３】同音圧周波数特性を示す図
【図４】同他の実施の形態によるパネルスイッチを搭載した電子機器の断面図
【図５】（ａ）は本発明の第２の実施の形態によるパネルスイッチを搭載した電子機器の平面図
（ｂ）は（ａ）のＣ−Ｄ断面図
【図６】同要部斜視図
【図７】（ａ）は本発明の第３の実施の形態によるパネルスイッチを搭載した電子機器の平面図
（ｂ）は（ａ）のＥ−Ｆ断面図
【図８】本発明の第４の実施の形態によるパネルスイッチの要部断面図
【図９】（ａ）は従来の携帯電話機の平面図
（ｂ）同断面図
【符号の説明】
１  パネルスイッチ
１Ａ  上基板
１Ｂ  上電極
１Ｃ  下基板
１Ｄ  下電極
１Ｅ  マイクロドットスペーサ
１Ｆ  配線電極
１Ｇ  配線電極
１Ｈ  粘着材
１Ｉ  絶縁材
１Ｊ  閉空隙
２，８Ａ，８Ｂ  音響孔
３  電子機器の筐体
４  表示素子
５，５Ａ，５Ｂ，５Ｃ，５Ｄ  電気機械音響変換器
６  制御手段
７  操作メニュー
【図１】
0003994714.tif 000002
【図２】
0003994714.tif 000003
【図３】
0003994714.tif 000004
【図４】
0003994714.tif 000005
【図５】
0003994714.tif 000006
【図６】
0003994714.tif 000007
【図７】
0003994714.tif 000008
【図８】
0003994714.tif 000009
【図９】
0003994714.tif 000010